(57)【要約】【課題】          本発明の目的は、信頼性が高く取り扱いが容易な微少質量測定用センサ素子の梱包容器を提供することである。【解決手段】          上記の目的を達成するために本発明は、水晶基板の表面に金属膜を形成して成る水晶振動子を用いた微少質量測定用センサ素子の梱包容器において、微少質量測定用センサ素子の端子が差し込まれる孔を有し、微少質量測定用センサ素子が載置される固定板と、固定板にＱＣＭセンサ素子が載置された状態で、固定板が嵌め込まれる溝を内部に有し、両端にＱＣＭセンサ素子の主面を接触無く通すことが出来る形状をした開放端を有する梱包容器本体と、梱包容器本体の開放端に被せて、梱包容器本体を密閉する蓋部からなることを特徴とし、また、プラスチックから成ることを特徴として課題を解決する。【選択図】図１
2007091328.tif 000002
【特許請求の範囲】
【請求項１】
水晶基板の表面に金属膜を形成して成る水晶振動子を用いた微少質量測定用センサ素子の梱包容器において、
微少質量測定用センサ素子の端子が差し込まれる孔を有し、該微少質量測定用センサ素子が載置される固定板と、
該固定板にＱＣＭセンサ素子が載置された状態で、該固定板が嵌め込まれる溝を内部に有し、両端にＱＣＭセンサ素子の主面を接触無く通すことが出来る形状をした開放端を有する梱包容器本体と、
該梱包容器本体の該開放端に被せて、該梱包容器本体を密閉する蓋部からなることを特徴とする微少質量測定用センサ素子の梱包容器。
【請求項２】
プラスチックから成る請求項１に記載の微少質量測定用センサ素子の梱包容器。
【発明の詳細な説明】
【技術分野】
【０００１】
本発明は、信頼性が高く取り扱いが容易な微少質量測定用センサ素子の梱包容器に関する。
【背景技術】
【０００２】
従来からＡＴカットの水晶振動子を使用した微少質量測定用センサ素子（ＱＣＭ：Ｑｕａｒｔｚ
Ｃｒｙｓｔａｌ Ｍｉｃｒｏｂａｌａｎｃｅ  センサ素子）は水晶の厚みすべり振動を利用しており、水晶基板の表面には水晶基板との密着性が考慮された金属膜材料が使用されている。
【０００３】
また、微少質量測定用センサ素子では、測定される反応物が水晶振動子の表面に付着・乖離する際の微少な重量変化を水晶振動子の周波数変化としてとらえているが、この反応物が水晶振動子の表面に付着するために、基本的に微少質量測定用センサ素子（以降ＱＣＭセンサ素子と呼ぶ）は使い捨ての方式が採用されており、その解析精度においては、温度制御の安定度や単位重量当たりの周波数変化量が大きい高周波帯での測定が有効とされている。
【０００４】
先述の液相のタイプのＱＣＭセンサ素子はその使用目的から水晶振動子の主面が露出した構成となっており、こういったＱＣＭセンサ素子は、その保管・搬送時においてプラスチックなどで出来た梱包容器であるトレイ内部の凹部にそれぞれ落とし込まれるように並べられて、更に上方から蓋を被せて梱包されていた。
【０００５】
【特許文献１】特開２００３−２２２５８０号公報
【０００６】
なお、出願人は前記した先行技術文献情報で特定される先行技術文献以外には、本発明に関連する先行技術文献を本件出願時までに発見するに至らなかった。
【発明の開示】
【発明が解決しようとする課題】
【０００７】
しかしながら、先述の従来の梱包容器であるトレイのなかではＱＣＭセンサ素子は完全に固定されることは無く、トレイの凹部内壁とＱＣＭセンサ素子の水晶基板またはサポート（支持板）とが互いに擦れ合い、その結果、測定精度を著しく低下させる結果となるＱＣＭセンサ素子主面の汚染と成り得る発塵と、接着材での固定部が破損するおそれがあった。
【０００８】
また、従来の他のひとつの梱包形態において使用していた、ＱＣＭセンサ素子に被せる金属性のキャップ（缶）や、熱収縮チューブといった間接部材のコスト、及びそれらの取り付けのコストが掛かるといった問題があった。
【０００９】
また、従来のトレイを用いた梱包容器では、ＱＣＭセンサ素子の他の機器や装置への自動搭載が困難であるといった問題があった。
【００１０】
本発明は、以上のような技術的背景のもとで成されたものであり、従がってその目的は、信頼性が高く取り扱いが容易な微少質量測定用センサ素子の梱包容器を提供することである。
【課題を解決するための手段】
【００１１】
上記の目的を達成するために本発明は、水晶基板の表面に金属膜を形成して成る水晶振動子を用いた微少質量測定用センサ素子の梱包容器において、微少質量測定用センサ素子の端子が差し込まれる孔を有し、微少質量測定用センサ素子が載置される固定板と、固定板にＱＣＭセンサ素子が載置された状態で、固定板が嵌め込まれる溝を内部に有し、両端にＱＣＭセンサ素子の主面を接触無く通すことが出来る形状をした開放端を有する梱包容器本体と、梱包容器本体の開放端に被せて、梱包容器本体を密閉する蓋部からなることを特徴とする。
【００１２】
また、本発明の微少質量測定用センサ素子の梱包容器がプラスチックから成ることを特徴とする。
【発明の効果】
【００１３】
また、本発明のＱＣＭセンサ素子の梱包容器を使用することにより、梱包容器に収容されるＱＣＭセンサのそれぞれの製品間隔が十分に確保され、センサ同士の接触を確実に防止して、測定精度に著しく影響するＱＣＭセンサ素子として用いる水晶振動子の主面を確実に保護して梱包することが出来る。
【００１４】
また、本発明の微少質量測定用センサ素子の梱包容器によれば、従来のパック状のトレイと比較して、強度的に優れ、また梱包容器内を略真空、若しくは、例えばＮ２ガス雰囲気とすることが出来るために、測定精度に著しく影響する水晶振動子表面への酸化膜の形成などの化学変化を著しく抑制して梱包することが出来る。
【００１５】
また、本発明のＱＣＭセンサ素子の梱包容器によれば、従来の梱包形態において使用した、ＱＣＭセンサ素子に被せるキャップや、熱収縮チューブといった間接部材を使用する必要が無くなり、作業効率を改善して梱包作業に関わるコストの低減をすることが出来る。
【発明を実施するための最良の形態】
【００１６】
以下に図面を参照しながら本発明の実施の一形態について説明する。なお、各図においての同一の符号は同じ対象を示すものとする。
【実施例１】
【００１７】
図１は本発明のＱＣＭセンサ素子の梱包容器５にＱＣＭセンサ素子４が梱包される様子を示す、梱包容器５の斜め前方からみた概略の模式図である。即ち、微少質量測定用センサ素子４の端子６が差し込まれる孔７を有し、微少質量測定用センサ素子４が載置される固定板８と、固定板８にＱＣＭセンサ素子４が載置された状態で、固定板８が嵌め込まれる溝９を内部に有し、両端１０にＱＣＭセンサ素子４の主面を接触無く通すことが出来る形状をした開放端１１を有する梱包容器本体１２と、梱包容器本体１２の開放端１１に被せて、梱包容器本体１２を密閉する蓋部１３からなるＱＣＭセンサ素子４の梱包容器５である。本発明の梱包容器５では、先の固定板８を用いて、収容されるＱＣＭセンサ素子４の個々の間隔を確実にとって複数のＱＣＭセンサ素子４を梱包容器本体１２のなかに梱包することが出来るために、測定精度に大きな影響を与えるＱＣＭセンサ素子４の主面の接触による損傷や汚染を確実に防止することが出来る。また、固定板８へのＱＣＭセンサ素子４の挿入の方向を、図１に見られる方向と９０度回転して挿入することも出来る。また、本発明の梱包容器５は密閉して、内部雰囲気を決定することが出来るが、その梱包容器５内部雰囲気はＱＣＭセンサ素子４の電極材料に適したものとすることが出来る。例えば不活性ガス、ドライエア、好気性ガス、嫌気性ガスなどの先の電極材料に対応したガスを充填すること、及び略真空とすることが出来る。なお、本発明の梱包容器５は図２に見られるようなスティック状の形態に限らず、互いに組み合わせて開放端１１側からみて格子状として使用しても構わず、これらの場合も本発明の技術的範囲に含まれることは言うまでもない。また、本発明の梱包容器５は、取り扱いの簡便上透明であることが好ましいが、着色されていても構わない。また、開放端１１、及び蓋部１３は片一方だけであっても構わず、この場合においても、本発明の技術的範囲に含まれることは言うまでも無い。
【００１８】
図２は本発明のＱＣＭセンサ素子４の梱包容器５を側面方向からみた概略の側面模式図である。本発明の梱包容器５は内部を一定のガス雰囲気とすることが出来、気密的に密閉することによって、内部に梱包されたＱＣＭセンサ素子４の測定精度に著しく影響する水晶振動子表面への酸化膜の形成などの化学変化を著しく抑制することが出来るといった効果を奏する。
【００１９】
図３は従来のＱＣＭセンサ素子４の測定精度に著しく影響する水晶振動子の主面を保護するための処置の様子を示す、ＱＣＭセンサ素子４の一方の主面方向からみた概略の側面模式図である。これらの梱包形態においては、使用されるＱＣＭセンサ素子４に被せる金属性のキャップ（缶）や、熱収縮チューブといった間接部材のコスト、及びそれらの取り付けコストが掛かるといった問題があった。
【００２０】
図４は従来のＱＣＭセンサ素子４の梱包容器５を使用して、ＱＣＭセンサ素子４を梱包する様子を示す、梱包容器５の斜め上方の方向からみた概略の模式図である。従来はＱＣＭセンサ素子４の保管・搬送時において、トレイのなかでＱＣＭセンサ素子４を完全に固定することが出来ずトレイの凹部内でＱＣＭセンサ素子４が上下左右方向に遥動し、トレイの凹部内壁とＱＣＭセンサ素子４の水晶基板１またはサポート（支持板）とが互いに擦れ合い、その結果、ＱＣＭセンサ素子４の測定精度を著しく低下させる汚染と成り得る発塵と接着材での固定部が破損を起こすおそれがあった。
【図面の簡単な説明】
【００２１】
【図１】本発明のＱＣＭセンサ素子の梱包容器にＱＣＭセンサ素子が梱包される様子を示す、梱包容器の斜め前方からみた概略の模式図である。
【図２】本発明のＱＣＭセンサ素子の梱包容器を側面方向からみた概略の側面模式図である。
【図３】従来のＱＣＭセンサ素子の測定精度に著しく影響する水晶振動子の主面を保護するための処置の様子を示す、ＱＣＭセンサの一方の主面方向からみた概略の側面模式図である。
【図４】従来のＱＣＭセンサの梱包容器を使用して、ＱＣＭセンサを梱包する様子を示す、梱包容器の斜め上方の方向からみた概略の模式図である。
【符号の説明】
【００２２】
１    水晶基板
２    金属膜
４    微少質量測定用センサ素子（ＱＣＭセンサ素子）
５    梱包容器
６    端子
７    孔
８    固定板
９    溝
１０  両端
１１  開放端
１２  梱包容器本体
１３  蓋部
【図１】
2007091328.tif 000003
【図２】
2007091328.tif 000004
【図３】
2007091328.tif 000005
【図４】
2007091328.tif 000006